(57)【要約】      （修正有）【課題】多種の用途を備える変化設計である多機能靴を提供する。【解決手段】靴本体とサポートユニット２を含む。サポートユニット２は弾片２１、及び弾片２１と可動接続するサポート台２２を含む。弾片２１は、ピボット２１１２によりサポート台２２の長槽２２１４に可動接続され、これによりピボット２１１２は長槽２２１４中においてスライドする。弾片２１とサポート台２２の可動接続の方式により同一の靴に多種の用途を備えさせ、これにより歩行或いは運動時に、使用者はリラックスし、快適感を得ることができる。【選択図】図２
0003145997.tif 000002
【実用新案登録請求の範囲】
【請求項１】
少なくとも靴本体、サポートユニットを含み、
該サポートユニットは該靴本体の底面に設置し、該サポートユニットは弾片、該弾片と可動接続するサポート台を含み、該弾片の両端部はピボットにより該サポートユニットと可動接続し、該サポート台と該弾片が可動接続する内の一つの可動接続位置には、対称状を呈する一対の長槽を設置し、こうして該ピボットは該長槽内においてスライドすることを特徴とする多機能靴。
【請求項２】
請求項１記載の多機能靴において、前記弾片の両端部には第一挟カバーと第二挟カバーをそれぞれ設置し、該第一挟カバーと該第二挟カバーは該ピボットが穿設する可動接続管をそれぞれ設置し、該可動接続管外側は外部へと延伸し、対称状を呈し、該弾片と連接する一対の挟持板を設置することを特徴とする多機能靴。
【請求項３】
請求項１記載の多機能靴において、前記靴本体は靴台、及び該靴台に設置する若干のタイドベルトにより組成することを特徴とする多機能靴。
【請求項４】
請求項１記載の多機能靴において、前記靴本体は一体成型の靴体で、該靴体は靴底、及び足を包覆する靴面を備え組成することを特徴とする多機能靴。
【請求項５】
請求項１記載の多機能靴において、前記サポート台底面には地面と接触する靴底を設置することを特徴とする多機能靴。
【請求項６】
請求項１記載の多機能靴において、前記サポート台底面全体は下方へと徐々に縮小する形状のサポート部を成型することを特徴とする多機能靴。
【請求項７】
請求項１記載の多機能靴において、前記サポート台の両端部には一対のローラー体をそれぞれ設置することを特徴とする多機能靴。
【請求項８】
請求項１記載の多機能靴において、前記サポート台は径方向に排列する若干のローラー体を可動接続することを特徴とする多機能靴。
【請求項９】
少なくとも靴本体、サポートユニットを含み、
該靴本体は足を包覆する靴面、該靴面と接続する収容設置空間を備える靴底を含み、
該サポートユニットは該靴底の収容設置空間に設置し、該サポートユニットは弾片、該弾片と可動接続するサポート台を含み、該弾片の頂点面にはクッション体を設置し、該弾片の底面には可動接続部を成型し、これにより該可動接続部はピボットにより該サポート台と可動接続し、該弾片の反対端部には湾曲状を呈するサポート部を成型し、該サポート部と該サポート台は制止状を形成し、該サポート台と該弾片の可動接続部の可動接続位置には対称状を呈する一対の長槽を設置し、こうして該ピボットは該長槽内においてスライドすることを特徴とする多機能靴。
【考案の詳細な説明】
【技術分野】
【０００１】
本考案は多機能靴に関し、特に多種の用途を備える変化設計である多機能靴に関するものである。
【背景技術】
【０００２】
従来から市販されている靴の用途は単一で、しかも異なる用途においては、その用途のみに限定された靴が使用されている。
そのため使用者は、様々な場面或いは状態での使用に適した運動時専用の靴等数足の靴を携帯しなければならず、使用者携帯時の不便を増加させている。
本考案は、従来の多機能靴の上記した欠点に鑑みてなされたものである。
【考案の開示】
【考案が解決しようとする課題】
【０００３】
本考案の目的は、同一の靴に多種の用途を備えさせ、これにより歩行或いは運動時に、使用者はリラックスし、快適感を得ることができる多機能靴を提供することである。
【課題を解決するための手段】
【０００４】
本考案は多機能靴を提供する。
多機能靴は靴本体とサポートユニットを含み、
該サポートユニットは該靴本体の底面に設置し、
該サポートユニットは弾片、及び該弾片と可動接続するサポート台を含み、
該弾片の両端部分は、ピボットにより該サポート台と可動接続され、
該サポート台と該弾片が可動接続する位置の内、一箇所の可動接続位置には、対称状を呈する一対の長槽を設置し、これにより該ピボットは該長槽中においてスライドし、
該弾片の両端部分には第一挟カバーと第二挟カバーをそれぞれ設置し、
該第一挟カバーと該第二挟カバーは該ピボットを穿設する可動接続管をそれぞれ設置し、該可動接続管外側は外へと延伸し、対称状を呈し、該弾片を連接する一対の挟持板を設置し、
該靴本体は靴台、及び該靴台に設置する若干のタイドベルトにより組成し、
該靴本体は一体成型の靴体で、該靴体は靴底、及び足を包覆する靴面により組成し、
該サポート台底面には地面と接触する靴底を設置し、
該サポート台底面全体は下方へ向かい徐々に縮小する経常のサポート部を成型し、
該サポート台の両端部にはそれぞれ一対のローラー体を設置し、
該サポート台は径方向に排列する若干のローラー体を可動接続する。
【０００５】
別種の多機能靴は靴本体とサポートユニットを含み、
該靴本体は足を包覆する靴面、及び該靴面と接続する収容設置空間を備える靴底を含み、該サポートユニットは該靴底の収容設置空間に設置し、
該サポートユニットは弾片、該弾片と可動接続するサポート台を含み、
該弾片の頂点面にはクッション体を設置し、
該弾片の底面には可動接続部を成型し、こうして該可動接続部は該ピボットと該サポート台により可動接続され、
該弾片の反対端には湾曲状のサポート部を成型し、これにより該サポート部と該サポート台は制止状を形成し、
該サポート台と該弾片の可動接続部の可動接続位置には、対称状を呈する一対の長槽を設置し、こうして該ピボットは該長槽内においてスライドする。
【考案の効果】
【０００６】
本考案も多機能靴は弾片を利用し、ピボットによりサポート台の長槽において可動接続し、歩行或いは運動に使用し、ピボットは長槽において往復スライド移動を行い、弾片は上下律動を生じる。これにより使用者は少しの力量で、リラックスし快適に歩行或いは運動を行うことができる。さらに、本考案の多機能靴は該弾片と該サポート台を利用し可動接続の方式により、両者を一体に結合し、該サポート台にローラー体を装置し、或いは異なる形態のサポート台に交換するだけで、該多機能靴は上記した運動用のローラースケート靴、アイススケート靴、或いはローラーブレーダー用靴等の別種の形態の靴体に簡単に変化させることができる。こうして一足の靴を多用途に用いることができるようにし、使用者が運動しようとする時には、いつでも運動を行うことができる。こうしてアスレチック、ダイエットの効果を達成することができる。つまり運動のために他の靴を持ち歩く必要はなくなり、数足の靴を携帯する不便を解消することができる。
【考案を実施するための最良の形態】
【０００７】
図１は本考案の第一実施例に係る多機能靴のモデル図である。
多機能靴は靴本体１とサポートユニット２を含む。
該靴本体１は靴台１１、及び該靴台１１の前後端部にそれぞれ設置する２対のタイドベルト１２により組成する。
該各ついのタイドベルト１２には共に嵌合部品を設置する。
【０００８】
該サポートユニット２は該靴台１１の底面に設置する。
該サポートユニット２は弾片２１、及び該弾片２１と可動接続するサポート台２２を含む。
該弾片２１は弾性材料(グラスファイバー、カーボンファイバー、プラスチック材質、或いは金属片等)により一体成型し、湾曲状を形成する。
該弾片２１の両端部には、相同構造の第一挟カバー２１１と第二挟カバー２１２をそれぞれ設置する。
該第一挟カバー２１１と該第二挟カバー２１２はそれぞれ可動接続管２１１１、２１２１を設置する。
該各可動接続管２１１１、２１２１はピボット２１１２、２１２２をそれぞれ対応し穿設する。
該ピボット２１１２、２１２２は中空管状を呈する。
該各可動接続管２１１１、２１２１外側は、対称状を呈し、該弾片２１が挟持し接続する一対の挟持板２１１３、２１２３を延伸し設置する。
【０００９】
該サポート台２２は該弾片２１の下方に位置し、しかもその両端部分にはそれぞれ設置する。
該第一挟カバー２１１、該第二挟カバー２１２と可動接続する第一可動接続部２２１と第二可動接続部２２２をそれぞれ設置する。
該第一可動接続部２２１は該サポート台２２の両側にそれぞれ突出部２２１１を設置し、該各突出部２２１１は相対状を呈する。
該突出部２２１１は長槽２２１２を設置する。
該長槽２２１２はプラスチックカバー２２１３に嵌入する。
該プラスチックカバー２２１３は長槽２２１４を設置し、これにより該第一挟カバー２１１のピボット２１１２は嵌入、位置が限定される。
該第二可動接続部２２２は該サポート台２２の両側において、突出部２２２１をそれぞれ設置する。
【００１０】
該各突出部２２２１は相対状を呈する。
該突出部２２２１は貫通孔２２２２を設置する。
該貫通孔２２２２にはプラスチック軸カバー２２２３を嵌入する。
該プラスチック軸カバー２２２３には貫通孔２２２４を設置し、これにより該第二挟カバー２１２のピボット２１２２は嵌入、位置が限定される。
該サポート台２２の底面には靴底２２３を設置する。
該靴底２２３はポリウレタン材質により製造する。
こうして第一最適実施例の多機能靴を構成する。
【００１１】
図２は多機能靴の使用状態を説明する図１に示す多機能靴の使用状態モデル図である。
図２に示すように、上記した多機能靴を使用する時には、使用者は着用している靴を該靴台１１上に直接置き、該タイドベルト１２の嵌合部品１２１により、該タイドベルト１２を緊密にまとめる。
こうして使用者の靴は該靴台１１上に位置が限定される。
使用者が該多機能靴をはき、路上を歩く過程では、該多機能靴と地面の接触時には、使用者自身の重量が下向きの重力を生じる。
この時、該弾片２１と該サポート台２２の第一可動接続部２２１の可動接続の端部は、該第一可動接続部２２１のピボット２１１２において位置が限定されるため、該プラスチックカバー２２１３の長槽中において後方へとスライドし、これにより、該弾片２１は展開状を形成する。
【００１２】
図３は多機能靴の使用状態を説明する図１に示す多機能靴の使用状態モデル図である。
図３に示すように、該多機能靴が地面を離れる時、該弾片２１が受ける重力は軽減され、並びに該弾片２１自身が備える弾性により、該弾片２１と該サポート台２２の第一可動接続部２２１可動接続の端部は、該第一可動接続２２１のピボット２１１２において位置が限定されるため、該プラスチックカバー２２１３の長槽２２１４中において前方へとスライドする。
これにより、該弾片２１は元の状態を回復し、しかも同時に該靴台１１は該弾片２１により上方へと押し上げられる。
この時、使用者は該多機能靴底部の弾性を感じ、歩行過程において律動感を形成し、使用者はリラックスし、快適な状態で歩行することができる。
【００１３】
以下に本考案多機能靴の第二実施例について述べる。第二実施例は上記した第一実施例と相同部分を備え、相同の符号を付記するが、それらは特別に記載しない限りは、等価構造と機能を備えるものである。
図４は本考案多機能靴の第二実施例に係る立体分解モデル図である。
本実施例は上記した第一実施例の多機能靴の変化形である。
本実施例では、上記した多機能靴のサポートユニット２において、４個のローラー体２３を可動接続し、２個のローラー体２３を一組とし、該サポート台２２の第一可動接続部２２１と該第二可動接続部２２２にそれぞれ可動接続する。
該各ローラー体２３はボルト２３１を可動接続する。
第二実施例の多機能靴の組み立て時には、該ボルト２３１により該ローラー体２３において可動接続し、さらに該各ローラー体２３のボルト２３１端部分によりそれぞれ対応固設され、該第一可動接続部２２１のピボット２１１２及び該第二可動接続部２２２のピボット２１２２において位置が限定され、こうして該ローラー体２３は該第一可動接続部２２１と該第二可動接続２２２の両側にそれぞれ位置する。
こうして多機能靴はローラースケート靴に変化する。
【００１４】
図５は多機能靴の使用状態を説明する図４に示す多機能靴の使用状態モデル図である。
図に示すように使用者が上記したローラースケート靴を使用する時には、使用者は着用している靴を該靴台１１上に直接置き、該タイドベルト１２の嵌合部品１２１により、該タイドベルト１２を緊密にまとめる。
こうして使用者の靴は同時に該靴台１１上に位置を限定される。
該ローラースケート靴が地面に接触すると、使用者自身の重量が下向きの重力を生じる。
この時、該弾片２１と該サポート台２２の第一可動接続部２２１の可動接続の端部は、該第一可動接続部２２１のピボット２１１２(図示なし)において位置が限定されるため、該プラスチックカバー２２１３の長槽２２１４中において後方へとスライドし、これにより、該弾片２１は展開状を形成する。
同時に該ローラー体２３を駆動しローラー式スライドを行う。
【００１５】
図６は多機能靴の使用状態を説明する図４に示す多機能靴の使用状態モデル図である。
図に示すように、該ローラースケート靴が地面を離れると、該弾片２１が受ける重力は軽減され、並びに該弾片２１自身が備える弾性により、該弾片２１と該サポート台２２の第一可動接続部２２１可動接続の端部は、該第一可動接続２２１のピボット２１１２(図示なし)において位置が限定されるため、該プラスチックカバー２２１３の長槽２２１４(図示なし)中において前方へとスライドする。
これにより、該弾片２１は元の状態を回復し、しかも同時に該靴台１１は該弾片２１により上方へと押し上げられる。
この時、使用者はローラースケート靴底部の弾性を感じ、ローラースケート過程において律動感を形成し、使用者は路上でリラックスしローラースライドすることができる。
【００１６】
上記した第一、第二実施例の多機能靴において、該靴本体１は別種の形態とすることができる。
図７は、多機能靴の靴本体の別種の形態を説明する図１に示す多機能靴の靴本体の別種の形態に係るモデル図であり、図８は多機能靴の靴本体の別種の形態を説明する図４に示す多機能靴の靴本体の別種の形態に係るモデル図である。
図に示すように、該靴本体１’は一体成型の方式で製造する。
該靴本体１’は靴底１１’、及び足を包覆する靴面１２’により組成する。
使用者は該靴本体１’を直接足に着用し使用する。
該靴本体１’底面には、上記した多機能靴及びローラースケート靴と相同構造及び機能を備えるサポートユニット２を設置する。
【００１７】
以下に本考案多機能靴の第三実施例について述べる。第二実施例は上記した第一実施例と相同部分を備え、相同の符号を付記するが、それらは特別に記載しない限りは、等価構造と機能を備えるものである。
図９は本考案多機能靴の第三実施例に係る立体分解モデル図である。
本実施例は上記した第一実施例の多機能靴の変化形である。
本実施例では、該多機能靴は靴本体１とサポートユニット３を含む。
該靴本体１は靴台１１、及び該靴台１１の前後端部にそれぞれ設置する二対のタイドベルト１２により組成する。
該各対のタイドベルト１２には共に嵌合部品１２１を設置する。
該サポートユニット３は該靴台１１の底面に設置する。
該サポートユニット３は弾片２１、及び該弾片３１と可動接続するサポート台３２を含む。
該弾片３１は弾性材料(グラスファイバー、カーボンファイバー、プラスチック材質、或いは金属片等)により一体成型し、湾曲状を形成する。
該弾片３１の両端部には、相同構造の第一挟カバー３１１と第二挟カバー３１２をそれぞれ設置する。
該第一挟カバー３１１と該第二挟カバー３１２はそれぞれ可動接続管３１１１、３１２１を設置する。
該各可動接続管３１１１、３１２１はピボット３１１２、３１２２をそれぞれ対応し穿設する。
該ピボット３１１２、３１２２は中空管状を呈する。
該各可動接続管３１１１、３１２１外側は、対称状を呈し、該弾片３１と挟持し接続する一対の挟持板３１１３、３１２３を延伸し設置する。
該サポート台３２は該弾片３１の下方に位置し、しかも該サポート台３２の頂点面は対称状を呈し、径方向に延伸する一対の突出部３２１を成型する。
該突出部３２１の両端部分には、該第一挟カバー３１１、該第二挟カバー３１２と可動接続する長槽３２１１と貫通孔３２１２をそれぞれ設置する。
該長槽３２１１には、該第一挟カバー３１１のピボット３１１２を嵌入し位置を限定する。
該貫通孔３２１２は該第二挟カバー３１２のピボット３１２２を嵌入し位置を限定する。
該サポート台３２の底面全体は、下方へと延伸し徐々に縮小する経常のサポート部３２２を成型する。
こうして多機能靴はアイススケート靴に変化する。
【００１８】
図１０は多機能靴の使用状態を説明する図９に示す多機能靴の使用状態モデル図である。
図に示すように使用者が上記したアイススケート靴を使用する時には、使用者は着用している靴を該靴台１１上に直接置き、該タイドベルト１２の嵌合部品１２１により、該タイドベルト１２を緊密にまとめる。
こうして使用者の靴は同時に該靴台１１上に位置を限定される。
該アイススケート靴が氷上においてスライドする時に、該アイススケート靴のサポート部３２２と表面が接触すると、使用者自身の重量が下向きの重力を生じる。
この時、該弾片３１と該サポート台３２の長槽３２１１の可動接続の端部は、該長槽３２１１のピボット３１１２において位置が限定されるため、該長槽３２１１中において後方へとスライドし、これにより、該弾片３１は展開状を形成し、該アイススケート靴を駆動しスライドすることができる。
【００１９】
図１１は多機能靴の使用状態を説明する図９に示す多機能靴の使用状態モデル図である。
図に示すように、該アイススケート靴が地面を離れると、該弾片３１が受ける重力は軽減され、並びに該弾片３１自身が備える弾性により、該弾片３１と該サポート台３２の長槽３２１１可動接続の端部は、該長槽３２１１のピボット３１１２において位置が限定されるため、該長槽３２１１中において自動的に前方へとスライドする。
これにより、該弾片３１は元の状態を回復し、しかも同時に該靴台１１は該弾片３１により上方へと押し上げられる。
この時、使用者はアイススケート靴底部の弾性を感じ、スケート時には律動感を形成し、使用者は氷上でリラックスしアイススケートを行うことができる。
【００２０】
上記した第三実施例の多機能靴において、該靴本体１は別種の形態とすることができる。
図１２は、多機能靴の靴本体の別種の形態を説明する図９に示す多機能靴の靴本体の別種の形態に係るモデル図である。
図に示すように、該靴本体１’は一体成型の方式で製造する。
該靴本体１’は靴底１１’、及び足を包覆する靴面１２’により組成する。
使用者は該靴本体１’を直接足に着用し使用する。
該靴本体１’底面には、上記したアイススケート靴と相同構造及び機能を備えるサポートユニット３を設置する。
【００２１】
以下に本考案多機能靴の第四実施例について述べる。第四実施例は上記した第一実施例と相同部分を備え、相同の符号を付記するが、それらは特別に記載しない限りは、相同構造と機能を備えるものである。
図１３は本考案多機能靴の第四実施例に係る立体分解モデル図である。
本実施例は上記した第一実施例の多機能靴の変化形である。
本実施例では、該多機能靴は靴本体１とサポートユニット４を含む。
該靴本体１は靴台１１、及び該靴台１１の前後端部にそれぞれ設置する二対のタイドベルト１２により組成する。
該各対のタイドベルト１２には共に嵌合部品１２１を設置する。
該サポートユニット４は該靴台１１の底面に設置する。
該サポートユニット４は弾片４１、及び該弾片４１と可動接続するサポート台４２を含む。
該弾片４１は弾性材料(グラスファイバー、カーボンファイバー、プラスチック材質、或いは金属片等)により一体成型し、湾曲状を形成する。
該弾片４１の両端部には、相同構造の第一挟カバー４１１と第二挟カバー４１２をそれぞれ設置する。
該第一挟カバー４１１と該第二挟カバー４１２は一対の長アーム４１１１、４１２１をそれぞれ設置する。
これにより全体は「コ」の字型状を呈し、該長アーム４１１１、４１２１の端部には、貫通孔４１１２、４１２２を設置する。
該貫通孔４１１２、４１２２には、ピボット４１１３、４１２３を対応、穿設する。
該第一挟カバー４１１、該第二挟カバー４１２の頂点端には、対称状を呈し、該弾片４１と挟持連接する一対の挟持板４１１４、４１２４を設置する。
該サポート台４２は該弾片４１の下方に位置し、しかも該サポート台４２の頂点面は対称状を呈する一対の突出部４２１を成型する。
該各突出部４２１の両端部分には、該第一挟カバー４１１、該第二挟カバー４１２と可動接続する長槽４２１１と貫通孔４２１２をそれぞれ設置する。
該長槽４２１１には、該第一挟カバー４１１のピボット４１１２を嵌入し位置を限定する。
該貫通孔４２１２は該第二挟カバー４１２のピボット４１２３を嵌入し位置を限定する。
該サポート台４２本体は径方向に配列する４個のローラー体４２２を可動接続する。
こうして多機能靴はローラーブレーダー靴に変化する。
【００２２】
図１４は多機能靴の使用状態を説明する図１３に示す多機能靴の使用状態モデル図である。
図に示すように使用者が上記したローラーブレーダー靴を使用する時には、使用者は着用している靴を該靴台１１上に直接置き、該タイドベルト１２の嵌合部品１２１により、該タイドベルト１２を緊密にまとめる。
こうして使用者の靴は同時に該靴台１１上に位置を限定される。
該ローラーブレーダー靴をはき、路上で滑る時に、該ローラーブレーダー靴のローラー体４２２が路面と接触すると、使用者自身の重量が下向きの重力を生じる。
この時、該弾片４１と該サポート台４２の長槽４２１１の可動接続の端部は、該長槽４２１１のピボット４１１３において位置が限定されるため、該長槽４２１１中において後方へとスライドし、これにより、該弾片４１は展開状を形成し、該ローラーブレーダー靴を駆動しスライドすることができる。
【００２３】
図１５は多機能靴の使用状態を説明する図１３に示す多機能靴の使用状態モデル図である。
図に示すように、該ローラーブレーダー靴が地面を離れると、該弾片４１が受ける重力は軽減され、並びに該弾片４１自身が備える弾性により、該弾片４１と該サポート台４２の長槽４２１１可動接続の端部は、該長槽４２１１のピボット４１１３において位置が限定されるため、該長槽４２１１中において自動的に前方へとスライドする。
これにより、該弾片４１は元の状態を回復し、しかも同時に該靴台１１は該弾片４１により上方へと押し上げられる。
この時、使用者はローラーブレーダー靴底部の弾性を感じ、スライド時には律動感を形成し、使用者は路面でリラックスしスケートを行うことができる。
【００２４】
上記した第四実施例の多機能靴において、該靴本体１は別種の形態とすることができる。
図１６は、多機能靴の靴本体の別種の形態を説明する図１３に示す多機能靴の靴本体の別種の形態に係るモデル図である。
図に示すように、該靴本体１’は一体成型の方式で製造する。
該靴本体１’は靴底１１’、及び足を包覆する靴面１２’により組成する。
使用者は該靴本体１’を直接足に着用し使用する。
該靴本体１’底面には、上記したローラーブレーダー靴と相同構造及び機能を備えるサポートユニット４を設置する。
【００２５】
以下に本考案多機能靴の第五実施例について述べる。
本実施例は上記した第一実施例の多機能靴の変化形である。
図１７は本考案多機能靴の第五実施例に係る立体分解モデル図である。
本実施例では、該多機能靴は靴本体５とサポートユニット６を含む。
該靴本体５は靴面５１と靴底５２を含む。
該靴面５１と該靴底５２は接続し、これにより該靴面５１は使用者の足を包覆することができる。
該靴底５２の周縁は制止壁５２１が囲み、これにより該靴底５２は収容設置空間を形成する。
該サポートユニット６は該靴底５２の収容設置空間に設置する。
該サポートユニット６は弾片６１、サポート台６２、クッション体６３を含む。
該弾片６１の底面には可動接続部６１１を成型し、該可動接続部６１１には可動接続管６１２を設置する。
該可動接続管６１２には、ピボット６１３対応、穿設し、これにより該サポート台６２と可動接続する。
該弾片６１の反対端は湾曲状を呈するサポート部６１４を成型し、これにより該サポート台６２と接触固定状態を形成する。
該サポート台６２は該弾片６１の下方に位置し、しかも該サポート台６２と該弾片６１の可動接続の端部は、対称状を呈する一対の突出部６２１を成型する。
該各突出部６２１は長槽６２２を設置し、該弾片６１のピボット６１３を嵌入し位置を限定する。
該クッション体６３は該弾片６１の頂点面に設置し、使用者の足はそれを踏む。
こうして第五実施例の多機能靴の構造を完成する。
【００２６】
図１８は多機能靴の使用状態を説明する図１７に示す多機能靴の使用状態モデル図である。
図に示すように、使用者が上記した多機能靴をはき、路上を歩行及び地面に接触する時には、使用者自身の重量が下向きの重力を生じる。
この時、該サポート台６２の長槽６２２において位置が限定されるピボット６１３は、該長槽６２２中において後方へとスライドし、これにより、該弾片６１は展開状を形成する。
【００２７】
図１９は多機能靴の使用状態を説明する図１７に示す多機能靴の使用状態モデル図である。
図に示すように、該多機能靴が地面を離れると、該弾片６１が受ける重力は軽減され、並びに該弾片６１自身が備える弾性により、該弾片６１のピボット６１３は、該長槽６２２中において自動的に前方へとスライドする。
これにより、該弾片６１は元の状態を回復する。
この時、使用者は歩行の過程において律動感を形成し、使用者はリラックスし、快適な状態で歩行することができる。
【００２８】
本考案多機能靴は該弾片を利用し、該ピボットにより該サポート台の長槽において可動接続し、歩行或いは運動に使用し、該ピボットは該長槽において往復スライド移動を行い、該弾片は上下律動を生じる。これにより使用者は少しの力量で、リラックスし快適に歩行或いは運動を行うことができる。
さらに、本考案の多機能靴は該弾片と該サポート台を利用し可動接続の方式により、両者を一体に結合し、該サポート台にローラー体を装置し、或いは異なる形態のサポート台に交換するだけで、該多機能靴は上記した運動用のローラースケート靴、アイススケート靴、或いはローラーブレーダー用靴等の別種の形態の靴体に簡単に変化させることができる。こうして一足の靴を多用途に用いることができるようにし、使用者が運動しようとする時には、いつでも運動を行うことができる。
こうしてアスレチック、ダイエットの効果を達成することができる。つまり運動のために他の靴を持ち歩く必要はなくなり、数足の靴を携帯する不便を解消することができる。
【図面の簡単な説明】
【００２９】
【図１】多機能靴の組成と対応関係を説明する本考案多機能靴の第一実施例に係る立体分解モデル図である。
【図２】多機能靴の使用状態を説明する図１に示す多機能靴の使用状態モデル図である。
【図３】多機能靴の使用状態を説明する図１に示す多機能靴の使用状態モデル図である。
【図４】第一実施例の多機能靴にローラー体を組合わせる組成と対応関係を説明する本考案多機能靴の第二実施例に係る立体分解モデル図である。
【図５】多機能靴の使用状態を説明する図４に示す多機能靴の使用状態モデル図である。
【図６】多機能靴の使用状態を説明する図４に示す多機能靴の使用状態モデル図である。
【図７】多機能靴の靴本体の別種の形態を説明する図１に示す多機能靴の靴本体の別種の形態に係るモデル図である。
【図８】多機能靴の靴本体の別種の形態を説明する図４に示す多機能靴の靴本体の別種の形態に係るモデル図である。
【図９】多機能靴の組成と対応関係を説明する本考案多機能靴の第三実施例に係る立体分解モデル図である。
【図１０】多機能靴の使用状態を説明する図９に示す多機能靴の使用状態モデル図である。
【図１１】多機能靴の使用状態を説明する図９に示す多機能靴の使用状態モデル図である。
【図１２】機能靴の靴本体の別種の形態を説明する図９に示す多機能靴の靴本体の別種の形態に係るモデル図である。
【図１３】機能靴の組成と対応関係を説明する本考案多機能靴の第四実施例に係る立体分解モデル図である。
【図１４】多機能靴の使用状態を説明する図１３に示す多機能靴の使用状態モデル図である。
【図１５】多機能靴の使用状態を説明する図１３に示す多機能靴の使用状態モデル図である。
【図１６】多機能靴の靴本体の別種の形態を説明する図１３に示す多機能靴の靴本体の別種の形態に係るモデル図である。
【図１７】多機能靴の組成と対応関係を説明する本考案多機能靴の第五実施例に係る立体分解モデル図である。
【図１８】多機能靴の使用状態を説明する図１７に示す多機能靴の使用状態モデル図である。
【図１９】多機能靴の使用状態を説明する図１７に示す多機能靴の使用状態モデル図である。
【符号の説明】
【００３０】
１  靴本体
１１  靴台
１２  タイドベルト
１２１  嵌合部品
２  サポートユニット
２１  弾片
２１１  第一挟カバー
２１１１  可動接続管
２１１２  ピボット
２１１３  挟持板
２１２  第二挟カバー
２１２１  可動接続管
２１２２  ピボット
２１２３  挟持板
２２  サポート台
２２１  第一可動接続部
２２１１  突出部
２２１２  長槽
２２１３  プラスチックカバー
２２１４  長槽
２２２  第二可動接続部
２２２１  突出部
２２２２  貫通孔
２２２３  プラスチック軸カバー
２２２４  貫通孔
２２３  靴底
２３  ローラー体
２３１  ボルト
３  サポートユニット
３１  弾片
３１１  第一挟カバー
３１１１  可動接続管
３１１２  ピボット
３１１３  挟持板
３１２  第二挟カバー
３１２１  可動接続管
３１２２  ピボット
３１２３  挟持板
３２  サポート台
３２１  突出部
３２１１  長槽
３２１２  貫通孔
３２２  サポート部
４  サポートユニット
４１  弾片
４１１  第一挟カバー
４１１１  長アーム
４１１２  貫通孔
４１１３  ピボット
４１１４  挟持板
４１２  第二挟カバー
４１２１  長アーム  
４１２２  貫通孔
４１２３  ピボット
４１２４  挟持板
４２  サポート台
４２１  突出部
４２１１  長槽
４２１２  貫通孔
４２２  ローラー体
５  靴本体
５１  靴面
５２  靴底
５２１  制止壁
６  サポートユニット
６１  弾片
６１１  可動接続部
６１２  可動接続管
６１３  ピボット
６１４  サポート部
６２  サポート台
６２１  突出部
６２２  長槽
６３  クッション体
【図１】
0003145997.tif 000003
【図２】
0003145997.tif 000004
【図３】
0003145997.tif 000005
【図４】
0003145997.tif 000006
【図５】
0003145997.tif 000007
【図６】
0003145997.tif 000008
【図７】
0003145997.tif 000009
【図８】
0003145997.tif 000010
【図９】
0003145997.tif 000011
【図１０】
0003145997.tif 000012
【図１１】
0003145997.tif 000013
【図１２】
0003145997.tif 000014
【図１３】
0003145997.tif 000015
【図１４】
0003145997.tif 000016
【図１５】
0003145997.tif 000017
【図１６】
0003145997.tif 000018
【図１７】
0003145997.tif 000019
【図１８】
0003145997.tif 000020
【図１９】
0003145997.tif 000021